(57)【要約】【課題】頭部にほぼ密接して被せられる鉢形のクラウン部の保形性を損なわないようにする。汗を有効に蒸散できるようにする。【解決手段】帽子１００は、クラウン部１と、鍔部２と、通気孔３を有する第１の通気用部材４と、通気孔３を有する第２の通気用部材５と、芯布７と、吸汗性を有するすべり帯片８とから構成されている。帽子１００の通気部は、糸で編まれた通気孔３を有する網状の第１の通気用部材４と、第１の通気用部材４の内側に重ねて設けられ、糸で編まれた通気孔３を有する網状の第２の通気用部材５とを備える。第２の通気用部材の上端は自由端とされる。また、第１の通気用部材４の下端縁は、内側に折返されて芯布７が挟込まれ、この芯布７は、第１の通気用部材４、第２の通気用部材５と同様の環状で幅が狭く形成されている。【選択図】図１
2010222761.tif 000002
【特許請求の範囲】
【請求項１】
頭部にほぼ密接して被せられる鉢形のクラウン部の下端から全体の１／５〜３／５の高さまで除去され、除去された部分に別部材からなる通気部が環状に設けられた帽子であって、
前記通気部は、糸等で編まれた開孔を有する網状の第１の通気用部材と、前記第１の通気用部材の内側に重ねて設けられ、糸等で編まれた開孔を有する網状の第２の通気用部材とを備え、前記第１の通気用部材と前記第２の通気用部材とが積層されて外側に各開孔が連続ないし不連続に連通されてなる汗排出領域が形成され、
前記第２の通気用部材の下端の内側には吸汗性を有するすべり帯片が前記通気部の所定の高さの１／２〜１／８程度の高さで設けられると共に、前記すべり帯片は前記第２の通気用部材を介して前記第１の通気用部材との積層状態で外側に連結され、前記第２の通気用部材と前記第１の通気用部材の各開孔が連続ないし不連続に連通される気化熱促進領域が形成されることを特徴とする帽子。
【請求項２】
第１の通気用部材と前記第２の通気用部材は、糸等で編まれた編糸幅の約１．５〜２０倍程度の開孔を有する網状の布材であることを特徴とする請求項１に記載の帽子。
【請求項３】
前記第２の通気用部材は、前記第１の通気用部材の下部が折返されて内側に重ねて形成され、かつ前記第２の通気用部材の上端は自由端とされることを特徴とする請求項１または２に記載の帽子。
【請求項４】
前記第２の通気用部材の下端に、Ｕ字形に折り曲げられて前記第２の通気用部材の下端を挟まるように吸汗性を有するすべり帯片が設けられると共に、前記第２の通気用部材の上端は自由端とされることを特徴とする請求項１または２に記載の帽子。
【請求項５】
前記第２の通気用部材の短手方向の幅を、前記第１の通気用部材の短手方向の幅より大きくすることを特徴とする請求項１ないし４のいずれかに記載の帽子。
【請求項６】
前記第１の通気用部材と前記第２の通気用部材との間には下端縁に沿って環状の芯布が介在されていることを特徴とする請求項１ないし５のいずれかに記載の帽子。
【請求項７】
帽子の鍔部は、前記第１の通気用部材と前記第２の通気用部材との間に取付けられていることを特徴とする請求項１ないし６のいずれかに記載の帽子。
【請求項８】
前記第１の通気用部材と前記第２の通気用部材との開孔の形状がハニカム構造であることを特徴とする請求項１ないし７のいずれかに記載の帽子。
【請求項９】
前記第１の通気用部材と第２の通気用部材は、開孔の位置が一致するように配置されることを特徴とする請求項１ないし８のいずれかに記載の帽子。
【請求項１０】
前記第１の通気用部材と前記第２の通気用部材は、開孔の位置をずらして配置されることを特徴とする請求項１ないし８のいずれかに記載の帽子。
【発明の詳細な説明】
【技術分野】
【０００１】
本発明は、頭部にほぼ密接して被せられる鉢形のクラウン部を備えて、装飾としてよりも日除け等の実用に供せられる帽子に係る技術分野に属する。
【背景技術】
【０００２】
日除け等の実用に供せられる帽子としては、頭皮，頭髪を伝わった汗がクラウン部の下部に滞溜するのを避けるために、クラウン部の下部に汗を蒸散する隙間構造を形成したものがある。然しながら、クラウン部の下部に形成される隙間構造が頭部への装着力を低下させてしまうため、スポーツ等には不向きとなるとともに装着感が不良になるという不具合がある。このため、頭部にほぼ密接して被せられる鉢形のクラウン部を備えた帽子について、汗を有効に蒸散させることのできる技術の開発が要望されている。
【０００３】
従来、頭部にほぼ密接して被せられる鉢形のクラウン部を備えた帽子について、汗を有効に蒸散させることを指向した技術としては、例えば、以下に記載のものが知られている（例えば、特許文献１参照）。
【０００４】
特許文献１には、頭部にほぼ密接して被せられる鉢形のクラウン部の下端縁付近に通気流入のための窓孔形の通気孔が開孔され頂部付近に通気排出のための通気孔が開孔された帽子が記載されている。
【０００５】
特許文献１に係る帽子は、クラウン部の下端縁付近に設けられた通気孔から通気を流入させて頂部付近に設けられた通気孔から通気を排出させることで、頭皮，頭髪を伝わってクラウン部の下部に滞溜しようとする汗を流動する通気を利用して蒸散させようとするものである。なお、クラウン部の下端縁付近に設けられた窓孔形の通気孔には、ファッション性の向上のためにメッシュ布が張設されている。
【先行技術文献】
【特許文献】
【０００６】
【特許文献１】特開２００１−１４６６２０号公報
【発明の概要】
【発明が解決しようとする課題】
【０００７】
特許文献１に係る帽子では、頭髪の抵抗等によって通気孔からの通気の流入，排出が期待したほど起こらないため、流動する通気を利用した汗の蒸散が充分に行われないという問題点がある。
【０００８】
この問題点を解消するためには、クラウン部の下端縁付近に設けられた通気孔を大きく開孔することが考えられる。然しながら、通気孔を大きく開孔すると、頭部にほぼ密接して被せられる鉢形のクラウン部の形状を維持する保形性が低下してしまうという新たな問題点が生じてしまう。
【０００９】
本発明は、このような問題点を考慮してなされたもので、頭部にほぼ密接して被せられる鉢形のクラウン部の保形性を損なうことなく、しかも汗を有効に蒸散させることのできる帽子を提供することを目的とする。
【課題を解決するための手段】
【００１０】
前述の課題を解決するため、本発明に係る帽子は、特許請求の範囲の各請求項に記載の手段を採用する。
【００１１】
即ち、本発明に係る帽子は、頭部にほぼ密接して被せられる鉢形のクラウン部の下端から全体の１／５〜３／５の高さまで除去され、除去された部分に別部材からなる通気部が環状に設けられた帽子であって、前記通気部は、糸等で編まれた開孔を有する網状の第１の通気用部材と、前記第１の通気用部材の内側に重ねて設けられ、糸等で編まれた開孔を有する網状の第２の通気用部材とを備え、前記第１の通気用部材と前記第２の通気用部材とが積層されて外側に各開孔が連続ないし不連続に連通されてなる汗排出領域が形成され、前記第２の通気用部材の下端の内側には吸汗性を有するすべり帯片が前記通気部の所定の高さの１／２〜１／８程度の高さで設けられると共に、前記すべり帯片は前記第２の通気用部材を介して前記第１の通気用部材との積層状態で外側に連結され、前記第２の通気用部材と前記第１の通気用部材の各開孔が連続ないし不連続に連通される気化熱促進領域が形成されることを特徴とする。
【００１２】
この手段では、クラウン部の下端縁付近に設けられる通気部は窓形でなく、多数の小さな開孔の集合としたもので、開孔面積を拡張することで、クラウン部の下部に当接する頭部を外気に大きな面積で直接的に接触させる。また、通気部は開孔を有する網状の第１の通気用部材をクラウン部の下部分と代替し、さらに開孔を有する網状の第２の通気用部材を第１の通気用部材に重ねることで、クラウン部の下部に相当する環形状が維持される。また、第２の通気用部材が上部をフリーにして第１の通気用部材の内側に重ねられることで、第２の通気用部材がスベリ部としても機能する。そのため、すべり帯片の幅を狭くすることが可能となる。また、第１の通気用部材と第２の通気用部材により汗排出領域が形成され、汗を効率よく外部へ排出することが可能となる。また、すべり帯片が配置された範囲において、すべり帯片の外側の第１の通気用部材と第２の通気用部材により気化熱促進領域が形成され、すべり帯片により吸い込んだ汗を効率よく気化させることが可能となる。
【００１３】
また、本発明に係る帽子において、例えば、前記第１の通気用部材と前記第２の通気用部材は、糸等で編まれた編糸幅の約１．５〜２０倍程度の開孔を有する網状の布材であることを特徴とする。
【００１４】
この手段では、前記第１の通気用部材と前記第２の通気用部材の材質および開孔の大きさを規定することで、より効率に通気することが可能となる。
【００１５】
また、本発明に係る帽子において、例えば、前記第２の通気用部材は、前記第１の通気用部材の下部が折返されて内側に重ねて形成され、かつ前記第２の通気用部材の上端は自由端とされることを特徴とする。
【００１６】
この手段では、クラウン部の下端縁付近に設けられる通気部は窓形でなく、多数の小さな開孔の集合としたもので、開孔面積を拡張することで、クラウン部の下部に当接する頭部を外気に大きな面積で直接的に接触させる。また、通気部は開孔を有する網状の第１の通気用部材をクラウン部の下部分と代替し、さらに第１の通気用部材の下部が折返されて内側に重ねて第２の通気用部材を形成することで、クラウン部の下部に相当する環形状が維持されると共に、部材点数が削減されるため、材料コストが低減され製造手間が軽減され製造が容易となる。また、第２の通気用部材が上部をフリーにして第１の通気用部材の内側に重ねられることで、第２の通気用部材がスベリ部としても機能する。そのため、すべり帯片の幅を狭くすることが可能となる。
【００１７】
また、本発明に係る帽子において、例えば、前記第２の通気用部材の下端に、Ｕ字形に折り曲げられて前記第２の通気用部材の下端を挟まるように吸汗性を有するすべり帯片が設けられると共に、前記第２の通気用部材の上端は自由端とされることを特徴とする。
【００１８】
この手段では、第２の通気用部材の下端を挟まるように配置されたすべり帯片が設けられることで、汗を吸い込むことができると共に、第２の通気用部材の下端の糸がほつれにくい。
【００１９】
本発明に係る帽子において、例えば、前記第２の通気用部材の短手方向の幅を、前記第１の通気用部材の短手方向の幅より大きくする。
【００２０】
この手段では、第２の通気用部材が第１の通気用部材とクラウン部との縫い目を覆うことが可能であり、頭部との接触心地がよい、かつデザイン性を向上することができる。
【００２１】
また例えば、前記第１の通気用部材と前記第２の通気用部材との間には下端縁に沿って環状の芯布が介在されている。
【００２２】
この手段では、第１の通気用部材と第２の通気用部材との間に下端縁に沿って環状の芯布が介在されることで、第１の通気用部材、第２の通気用部材のクラウン部の下部に相当する環形状を維持する機能が補助される。
【００２３】
また例えば、帽子の鍔部は、前記第１の通気用部材と前記第２の通気用部材との間に取付けられている。
【００２４】
この手段では、鍔部が第１の通気用部材と第２の通気用部材との間に取付けられることで、取り付け部分がなめらかで、頭部との接触心地がよい、かつデザイン性を向上することができる。
【００２５】
また例えば、前記第１の通気用部材と前記第２の通気用部材との開孔の形状がハニカム構造である。
【００２６】
この手段では、第１の通気用部材と第２の通気用部材との通気孔の開孔形状がハニカム構造とされることで、第１の通気用部材、第２の通気用部材にある程度の伸展性，耐変形が備えられる。
【００２７】
また例えば、前記第１の通気用部材と第２の通気用部材は、開孔の位置が一致するように配置される。
【００２８】
この手段では、第１の通気用部材と第２の通気用部材との通気孔の位置が一致されることで、クラウン部の下部に当接する頭部を外気に直線的な経路で接触させる。
【００２９】
また例えば、前記第１の通気用部材と前記第２の通気用部材は、開孔の位置をずらして配置される。
【００３０】
この手段では、第１の通気用部材と第２の通気用部材との通気孔の位置をずらしていることで、クラウン部の下部に当接する頭部を外気に屈曲線的な経路で接触させる。
【発明の効果】
【００３１】
本発明に係る帽子は、クラウン部の下端縁付近に設けられる通気部は窓形でなく、多数の小さな開孔の集合としたもので、開孔面積を拡張することで、クラウン部の下部に当接する頭部を外気に大きな面積で直接的に接触させるため、頭部にほぼ密接して被せられる鉢形のクラウン部の下部から汗を有効に蒸散させることができる効果がある。また、通気部は開孔を有する網状の第１の通気用部材をクラウン部の下部分と代替し、さらに開孔を有する網状の第２の通気用部材を第１の通気用部材に重ねることで、クラウン部の下部に相当する環形状が維持されるため、頭部にほぼ密接して被せられる鉢形のクラウン部の保形性が損なわれない効果がある。また、第２の通気用部材が上部をフリーにして第１の通気用部材の内側に重ねられることで、第２の通気用部材がスベリ部としても機能し、さらに、第２の通気用部材の下端の内側には吸汗性を有するすべり帯片が設けられているため、良好なフィット感をもたらすとともに、吸湿によって頭部から額部に汗が流落ちるのを防止し、摩擦の低減で頭部への装着を容易にすることができる。
【００３２】
また、第１の通気用部材と第２の通気用部材を２層構造にし、かつ第２の通気用部材の上端を自由端とすることで、第１の通気用部材と第２の通気用部材との間に通気性を有し、外気がクラウン部の内部に入りやすい。そのため、快適性を向上する効果がある。さらに、第２の通気用部材の短手方向の幅を、第１の通気用部材の短手方向の幅より大きくすることで、第２の通気用部材が第１の通気用部材とクラウン部との縫い目を覆うことが可能であり、頭部との接触心地がよい、かつデザイン性を向上することができる。
【００３３】
また、第１の通気用部材と第２の通気用部材との間に下端縁に沿って環状の芯布が介在されることで、第１の通気用部材、第２の通気用部材の保形性を補助することができる。
【００３４】
また、第１の通気用部材と第２の通気用部材との通気孔の開孔形状がハニカム構造とされることで、第１の通気用部材、第２の通気用部材にある程度の伸展性、耐変形を持たせることができる。
【００３５】
また、鍔部が第１の通気用部材と第２の通気用部材との間に取付けられることで、取り付け部分がなめらかで、頭部との接触心地がよい、かつデザイン性を向上することができる。
【図面の簡単な説明】
【００３６】
【図１】本発明の第１の実施の形態としての帽子の構成を示す側面図（一部拡大断面図を含む）である。
【図２】図１の要部の拡大図である。
【図３】図１のＡ部の拡大図である。
【図４】本発明の第２の実施の形態としての帽子の構成を示す一部拡大断面図である。
【図５】本発明の第３の実施の形態としての帽子の構成を示す一部拡大断面図である。
【図６】本発明の第４の実施の形態としての帽子の構成を示す一部拡大断面図である。
【図７】本発明に係る帽子の他の構成例を示す図である。
【発明を実施するための形態】
【００３７】
以下、本発明に係る帽子を実施するための最良の形態を図面に基づいて説明する。
【実施例１】
【００３８】
図１は、本発明の第１の実施の形態としての帽子の構成を示す側面図（一部拡大断面図を含む）である。図２は、図１の要部の拡大図である。図３は、図１のＡ部の拡大図である。
【００３９】
この第１例では、頭部にほぼ密接して被せられる鉢形のクラウン部１の下端縁の前方側にのみ鍔部２が取付けられたいわゆる野球帽形の帽子に適用されるものを示してある。
【００４０】
図１〜図３に示すように、帽子１００は、クラウン部１と、鍔部２と、通気孔３を有する第１の通気用部材４と、通気孔３を有する第２の通気用部材５と、芯布７と、布製のすべり帯片８とから構成されている。帽子１００の通気部は第１の通気用部材４と第２の通気用部材５から構成される。
【００４１】
クラウン部１は、下端縁から全体の１／５〜３／５の高さまで除去された本来の鉢形よりも浅底の鉢形に形成されている。この例において、下端縁から全体の１／５程度の高さまで除去された。そして、クラウン部１の切除部分を補うように第１の通気用部材４が取付けられている。即ち、図１に示すように、クラウン部１に取付けられた第１の通気用部材４は、クラウン部１の切除された下部分を別部材として代替する格好となっている。第１の通気用部材４は、上端縁がクラウン部１の切除された新たな下端縁に縫糸６による縫着で取付けられている。縫糸６が刺通されるクラウン部１の下端縁は、取付強度を確保し端辺のほつれを防止するために内側に折返されて２重になっている。縫糸６が刺通される第１の通気用部材４の上端縁は、美観上の要請でクラウン部１の下端縁の内側に当接されている。
【００４２】
また、第２の通気用部材５は、第１の通気用部材４の内側に重ねて設けられている。すべり帯片８は第２の通気用部材５を介して第１の通気用部材４と連結される。また、第２の通気用部材５の上端は自由端とされる。このような構成により、第１の通気用部材４と第２の通気用部材５とが積層されて外側に各開孔が連続ないし不連続に連通されてなる汗排出領域が形成され、また、すべり帯片８が配置された範囲において、第２の通気用部材５と第１の通気用部材４の各開孔が連続ないし不連続に連通される気化熱促進領域が形成される。
【００４３】
通気部の第１の通気用部材４、第２の通気用部材５は、糸等で編まれた開孔（通気孔３）を有する網状のもの、例えば糸等で編まれた編糸幅の約１．５〜２０倍程度の開孔を有する網状の成形布等によって、本来（頭部に被せられる充分な深さをもった鉢形）のクラウン部１の下端縁から少しの高さまでの幅を有した環状に形成されている。通気孔３を構成する糸Ｐは複数本の細い糸より編まれたものである。これにより、糸Ｐと頭部の接触面積がより小さく、通気性をさらに向上することが可能である。また、複数本の細い糸より編まれた糸Ｐを用いることで、毛細管現象により汗を効率よく拡散させることができる。なお、糸Ｐは１本の太い糸から構成されるようにしてもよい。
【００４４】
また、通気部は、図２に示すように、多数の小さな６角形の開孔（通気孔３）が第１の通気用部材４、第２の通気用部材５の全面にハニカム構造で集合されたものである。また、第１の通気用部材４の上下両端を開孔が比較的に少ない密度の濃い編地にすること（即ち、中央部の開孔が大きく、両端部の開孔が小さくすること）が好ましい。これにより、接続部の強度を確保すると共に、汗をクラウン部１と鍔部２に拡散させることができ、面積の大きいクラウン部１と鍔部２から汗が気化することになる。なお、第２の通気用部材５を第１の通気用部材４のように上下両端を開孔が比較的に少ない密度の濃い編地にすることもよい。この場合、頭部にほぼ密接する第２の通気用部材５により、汗をすべり帯片８に、さらに鍔部２に拡散させることができる。その結果、通気部の通気性が良く保たれ、大量の汗によるべとつきを軽減することが可能となる。また、汗を鍔部２に拡散させることを考慮する場合は、鍔部２を大きくすることが考えられる。
【００４５】
また、図１中の一部拡大断面図に示すように、第１の通気用部材４の下端縁は、内側に折返されて芯布７が挟込まれている。芯布７は、第１の通気用部材４、第２の通気用部材５と同様の環状で幅が狭く形成されている。この芯布７については、好ましくは強靱な材質のものを選択する。
【００４６】
また、第１の通気用部材４の下端縁の内側には、第２の通気用部材５とすべり帯片８とが重ねられている。第２の通気用部材５の短手方向の幅は第１の通気用部材４の短手方向の幅より大きくされる。即ち、第２の通気用部材５は、第１の通気用部材４の全体を覆うことができる幅に形成され、下端縁がすべり帯片８の上端縁に縫糸６による縫着で取付けられている。重ねられた第１の通気用部材４と第２の通気用部材５に設けられている通気孔３の位置が一致されている（図２参照）。
【００４７】
すべり帯片８は、環状で芯布７よりも大きく、かつ通気部よりも小さな幅に形成されている。例えば、通気部の所定の高さの１／２〜１／８程度の高さである。すべり帯片８の下端縁が第１の通気用部材４の下端縁と芯布７とに縫糸６による縫着で取付けられ、上端縁が第２の通気用部材５に縫糸６による縫着で取付けられている。このすべり帯片８については、好ましくは吸湿性が良好で平滑な表面を有する材質のものを選択する。
【００４８】
なお、鍔部２については、例えば、図３に示すように、第１の通気用部材４と第２の通気用部材５との間に端部を差込んで縫糸６による縫着で取付ける。
【００４９】
このような構成により、第１の通気用部材４と第２の通気用部材５により汗排出領域が形成され、汗を効率よく外部へ排出することができると共に、鍔部２およびクラウン部１へ排出することもできる。また、すべり帯片８が配置された範囲において、外側の第１の通気用部材４と第２の通気用部材５により気化熱促進領域が形成され、すべり帯片８により吸い込んだ汗を効率よく通気部から気化し蒸発することができる。
【００５０】
第１の実施の形態によると、クラウン部１の下端縁付近に設けられる通気部は窓形でなく、多数の小さな開孔の集合としたもので、開孔面積を拡張することで、クラウン部１の下部に当接する頭部を外気に大きな面積で直接的に接触させるため、外気（風）がクラウン部１の下部に当接する頭部に直接に直線の経路で衝突して、頭部に付着している汗を確実に蒸散させることができる。また、通気部は開孔を有する網状の第１の通気用部材４をクラウン部１の下部分と代替し、さらに開孔を有する網状の第２の通気用部材５を第１の通気用部材４に重ねることで、クラウン部１の下部に相当する環形状が維持されるため、頭部にほぼ密接して被せられる鉢形のクラウン部１の保形性が損なわれない効果がある。また、第２の通気用部材５が上部をフリーにして第１の通気用部材４の内側に重ねられることで、第２の通気用部材５がスベリ部としても機能し、さらに、第２の通気用部材５の下端の内側に環状のすべり帯片８が設けられているため、良好なフィット感をもたらすとともに、通気面積を確保でき、吸湿によって頭部から額部に汗が流落ちるのを防止し、摩擦の低減で頭部への装着を容易にすることができる。なお、第１の通気用部材４と第２の通気用部材５の通気孔３の位置が一致されているため、外気の頭部への衝突に障害はない。
【００５１】
また、通気孔３の集合がハニカム構造とされた第１の通気用部材４、第２の通気用部材５がある程度の伸展性，耐変形性を備えることになる。従って、第１の通気用部材４、第２の通気用部材５は、環状に形成されて重ねられることとの相乗によって、クラウン部１の本来の下部の形状を確実に維持する保形性を発揮する。なお、芯布７は、第１の通気用部材４、第２の通気用部材５の保形性を補助する。
【００５２】
また、すべり帯片８は、帽子一般に備えられるスベリ部の機能を奏する。従って、良好なフィット感をもたらすとともに、吸湿によって頭部から額部に汗が流落ちるのを防止し、摩擦の低減で頭部への装着を容易にする。なお、第２の通気用部材５についても、すべり帯片８から延長された格好で頭部に当接するため、帽子一般に備えられるスベリ部の機能が奏される。
【００５３】
さらに、第１の通気用部材４と第２の通気用部材５を２層構造にし、かつ第２の通気用部材５の上端を自由端とすることで、第１の通気用部材４と第２の通気用部材５との間に通気性を有し、外気がクラウン部１の内部に入りやすい。そのため、快適性を向上する効果がある。
【実施例２】
【００５４】
図４は、本発明の第２の実施の形態としての帽子の構成を示す一部拡大断面図である。帽子全体の構成については、図１中の側面図を参照する。
【００５５】
図４に示すように、第２の実施の形態は、第１の通気用部材４の下部が折返されて内側に重ねて第２の通気用部材５を形成したものであり、第１の通気用部材４と第２の通気用部材５の下部以外に、上述した第１の実施の形態の構成と同様である。
【００５６】
第２の実施の形態により、上述した第１の実施の形態の効果を得られると共に、部材点数が削減されるため、材料コストが低減され製造手間が軽減され製造が容易となる。また、第１の通気用部材４と第２の通気用部材５の下部において、装着の障害となる無用の凹凸の形成を避けることができる。
【実施例３】
【００５７】
図５は、本発明の第３の実施の形態としての帽子の構成を示す一部拡大断面図である。帽子全体の構成については、図１中の側面図を参照する。
【００５８】
図５に示すように、第３の実施の形態では、通気部は第１の通気用部材４と第２の通気用部材５から構成されるものであり、第２の通気用部材５の下端に、Ｕ字形に折り曲げられて第２の通気用部材５の下端を挟まるように配置された環状のすべり帯片８が設けられると共に、第２の通気用部材５の下端は第１の通気用部材４と連結され、上端は自由端とされる。これ以外に、上述した第１の実施の形態の構成と同様である。
【００５９】
第３の実施の形態により、上述した第１の実施の形態の効果が得られると共に、第２の通気用部材５の下端において糸がほつれにくい効果が得られる。
【００６０】
なお、第３の実施の形態においては、環状のすべり帯片８の代わりに、第２の通気用部材５の下端にかがり縫い加工を施してもよい。この場合、すべり効果および吸湿効果は環状のすべり帯片８より低下したが、加工しやすいおよび糸がほつれにくい効果が得られる。
【実施例４】
【００６１】
図６は、本発明の第４の実施の形態としての帽子の構成を示す一部拡大断面図である。帽子全体の構成については、図１中の側面図を参照する。
【００６２】
図６に示すように、第４の実施の形態は、第１の通気用部材４と第２の通気用部材５の通気孔３の位置が位相されている。即ち、第１の通気用部材４と第２の通気用部材５に設けられている通気孔３の位置を互いにずらして第１の通気用部材４と第２の通気用部材５を配置するようになされる。第４の実施の形態においては、通気孔３の位置を互いにずらして第１の通気用部材４と第２の通気用部材５を配置すること以外に、上述した第１の実施の形態の構成と同様である。
【００６３】
第４の実施の形態により、上述した第１の実施の形態の効果を得られると共に、通気孔３からの頭部の透視を低減することができ、ファッション性が高くなる。なお、外気の頭部への衝突がジグザグな経路となるが、直接的な衝突であることに変わりがなく汗の蒸散機能が低下することはない。
【００６４】
以上、図示した各例の外に、野球帽以外の他のタイプの帽子に適用することも可能である。
【００６５】
図７は、本発明に係る帽子の他の構成例を示す図である。図７に示すように、帽子１００Ａは、頭部にほぼ密接して被せられる鉢形のクラウン部１Ａの下端縁の全周にわたって鍔部２Ａが取付けられたものである。
【００６６】
帽子１００Ａは、クラウン部１Ａと、鍔部２Ａと、通気孔３Ａを有する第１の通気用部材４Ａと、通気孔３Ａを有する第２の通気用部材５Ａと、環状で幅が狭く形成されている芯布（図示せず）と、環状で芯布よりも大きく、かつ通気部よりも小さな幅に形成され、下端縁が第１の通気用部材４Ａの下端縁と芯布とに縫糸による縫着で取付けられ、上端縁が第２の通気用部材５Ａに縫糸による縫着で取付けられている布製のすべり帯片（図示せず）とから構成されている。帽子１００Ａの通気部は第１の通気用部材４Ａと第２の通気用部材５Ａから構成される。
【００６７】
この例において、クラウン部１Ａは、下端縁から全体の１／５〜３／５の高さまで除去された本来の鉢形よりも浅底の鉢形に形成されている。この例において、下端縁から全体の２／５程度の高さまで除去された。また、通気部は、多数の小さな６角形の開孔（通気孔３Ａ）が第１の通気用部材４Ａ、第２の通気用部材５Ａの全面にハニカム構造で集合されたものである。また、第２の通気用部材５Ａの下端は第１の通気用部材４Ａと連結され、上端は自由端とされる。なお、第１の通気用部材４Ａの下部が折返されて内側に重ねて第２の通気用部材５Ａを形成し、第２の通気用部材５Ａの上端は自由端とされる構成にしてもよい。
【００６８】
また、図７に示す構成例においては、上述した実施の形態と同様な効果が得られる。また、第１の通気用部材４Ａの上下両端を開孔が比較的に少ない密度の濃い編地にすること（即ち、中央部の開孔が大きく、両端部の開孔が小さくすること）が好ましい。これにより、接続部の強度を確保すると共に、汗をクラウン部１Ａと鍔部２Ａに拡散させることができ、面積の大きいクラウン部１Ａと鍔部２Ａから汗が気化することになる。
【００６９】
なお、上述した実施の形態においては、通気部は、多数の小さな６角形の開孔（通気孔３，３Ａ）が第１の通気用部材４，４Ａ、および第２の通気用部材５，５Ａの全面にハニカム構造で集合されたものについて説明したが、これに限定されるものではない。ハニカム構造以外の形状にしてもよい。
【００７０】
また、上述した実施の形態においては、第１の通気用部材４，４Ａ、および第２の通気用部材５，５Ａの材料は、糸で編まれた開孔を有する網状のものを用いた例について説明したが、これに限定されるものではない。例えば麦わら、パナマ草等の草物、皮革、ビニールなどで編まれた開孔を有する網状のものを用いてもよい。さらに、編み物以外に、開孔を有する織物、立体編みのものを用いてもよい。
【符号の説明】
【００７１】
１，１Ａ  クラウン部
２，２Ａ  鍔部
３，３Ａ  通気孔
４，４Ａ  第１の通気用部材
５，５Ａ  第２の通気用部材
６  縫糸
７  芯布
８  すべり帯片
１００，１００Ａ  帽子
Ｐ  糸
【図１】
2010222761.tif 000003
【図２】
2010222761.tif 000004
【図３】
2010222761.tif 000005
【図４】
2010222761.tif 000006
【図５】
2010222761.tif 000007
【図６】
2010222761.tif 000008
【図７】
2010222761.tif 000009